(57)【要約】ソーシャルネットワークを通して、電子支払を促進するように構成されるシステム、方法、およびコンピュータ読み取り可能な記憶媒体。一実施形態において、ソーシャルネットワーキングサービス支払方法は、ネットワークインターフェースを介して、ユーザから支払命令を受信することと、支払を受領するフレンドを指定するように、ユーザに指示することと、支払に関して、資金源を指定するように、ユーザに指示することと、支払の額に関して、ユーザに指示することと、プロセッサを用いて、支払に関して、償還コードを生成することと、ネットワークインターフェースを介して、支払および償還コードをフレンドに通知することとを含む。
2015532492.tif 000002
【特許請求の範囲】
【請求項１】
ソーシャルネットワーキングサービス支払方法であって、
ネットワークインターフェースを介して、ユーザから支払命令を受信することと、
支払を受領するフレンドを指定するように、前記ユーザに指示することと、
前記支払に関して、資金源を指定するように、前記ユーザに指示することと、
前記支払の額に関して、前記ユーザに指示することと、
プロセッサを用いて、前記支払に関して、償還コードを生成することと、
前記ネットワークインターフェースを介して、前記支払および前記償還コードを前記フレンドに通知することと
を含む、方法。
【請求項２】
前記ユーザの支払経験を共有するように、前記ユーザに指示することをさらに含む、請求項１に記載のソーシャルネットワーキングサービス支払方法。
【請求項３】
前記支払が国際金融取引である場合、前記支払に関して、通貨換算を決定することをさらに含む、請求項２に記載のソーシャルネットワーキングサービス支払方法。
【請求項４】
ソーシャルネットワーキング装置であって、
ユーザから支払命令を受信するように構成されているネットワークインターフェースと、
非一過性コンピュータ読み取り可能な媒体上のエンコードされたユーザデータベースであって、前記データベースは、ユーザプロファイル記録を含み、前記ユーザプロファイル記録は、複数のフレンドのユーザプロファイルに関連付けられるように構成され、かつ複数の資金源に関連付けられるように構成されている、ユーザデータベースと、
前記ネットワークインターフェースに結合されているプロセッサであって、前記プロセッサは、支払を受領するフレンドを指定するようにユーザに指示することと、前記支払に関して資金源を指定するようにユーザに指示することと、前記支払額に関して前記ユーザに指示することと、前記支払に関して、償還コードを生成することとを行うように構成されている、プロセッサと
を備え、前記ネットワークインターフェースは、前記支払および前記償還コードを前記フレンドに通知するようにさらに構成されている、装置。
【請求項５】
前記プロセッサは、前記ユーザの支払経験を共有するように、前記ユーザに指示するようにさらに構成されている、請求項４に記載のソーシャルネットワーキング装置。
【請求項６】
前記プロセッサは、前記支払が国際金融取引である場合、前記支払に関する通貨換算を決定する前記ユーザの支払経験を共有するようにさらに構成されている、請求項５に記載のソーシャルネットワーキング装置。
【請求項７】
データおよび命令でエンコードされている非一過性コンピュータ読み取り可能な媒体であって、前記命令は、コンピュータによって実行されると、
ネットワークインターフェースを介して、ユーザから支払命令を受信することと、
支払を受領するフレンドを指定するように、前記ユーザに指示することと、
前記支払に関して、資金源を指定するように、前記ユーザに指示することと、
前記支払の額に関して、前記ユーザに指示することと、
プロセッサを用いて、前記支払に関して、償還コードを生成することと、
前記ネットワークインターフェースを介して、前記支払および前記償還コードを前記フレンドに通知することと
を前記コンピュータに行わせる、非一過性コンピュータ読み取り可能な媒体。
【請求項８】
前記ユーザの支払経験を共有するように、前記ユーザに指示することを前記コンピュータにさらに行わせる、請求項７に記載の非一過性コンピュータ読み取り可能な媒体。
【請求項９】
前記支払が国際金融取引である場合、前記支払に関する通貨換算を決定することを前記コンピュータにさらに行わせる、請求項８に記載の非一過性コンピュータ読み取り可能な媒体。
【請求項１０】
ソーシャルネットワーキングサービス支払要求方法であって、
ネットワークインターフェースを介して、ユーザから支払要求命令を受信することと、
前記支払要求を受信すべき複数のフレンドを指定するように、前記ユーザに指示することと、
前記支払要求の標的額に関して、前記ユーザに指示することと、
前記ネットワークインターフェースを介して、前記支払要求を前記複数のフレンドに通知することと、
前記標的額が、前記複数のフレンドから受領された場合、または上回られた場合、前記ユーザにアラートすることと
を含む、ソーシャルネットワーキングサービス支払要求方法。
【請求項１１】
前記ユーザの支払経験を共有するように、前記ユーザに指示することをさらに含む、請求項１０に記載のソーシャルネットワーキングサービス支払方法。
【請求項１２】
ソーシャルネットワーキング装置であって、
ユーザから支払要求命令を受信するように構成されているネットワークインターフェースと、
非一過性コンピュータ読み取り可能な媒体上のエンコードされたユーザデータベースであって、前記データベースは、ユーザプロファイル記録を含み、前記ユーザプロファイル記録は、複数のフレンドのユーザプロファイルに関連付けられるように構成されている、ユーザデータベースと、
前記ネットワークインターフェースに結合されているプロセッサであって、前記プロセッサは、前記関連付けられた複数のフレンドのユーザプロファイルから前記支払要求を受信すべき複数のフレンドを指定するように前記ユーザに指示することと、前記支払要求の標的額に関して、前記ユーザに指示することとを行うように構成されている、プロセッサと
を備え、前記ネットワークインターフェースは、前記ネットワークインターフェースを介して、前記支払要求を前記複数のフレンドに通知することと、前記標的額が、前記複数のフレンドから受領された場合、または上回られた場合、前記ユーザにアラートすることとを行うようにさらに構成されている、ソーシャルネットワーキング装置。
【請求項１３】
前記プロセッサは、前記ユーザの支払経験を共有するように、前記ユーザに指示するようにさらに構成されている、請求項１２に記載のソーシャルネットワーキング装置。
【請求項１４】
データおよび命令でエンコードされている非一過性コンピュータ読み取り可能な媒体であって、前記命令は、コンピュータによって実行されると、
ネットワークインターフェースを介して、ユーザから支払要求命令を受信することと、
支払要求を受領する複数のフレンドを指定するように、前記ユーザに指示することと、
前記支払要求の標的額に関して、前記ユーザに指示することと、
前記ネットワークインターフェースを介して、前記支払要求を前記複数のフレンドに通知することと、
前記標的額が、前記複数のフレンドから受領された場合、または上回られた場合、前記ユーザにアラートすることと
を前記コンピュータに行わせる、非一過性コンピュータ読み取り可能な媒体。
【請求項１５】
前記ユーザの支払経験を共有するように、前記ユーザに指示することを前記コンピュータにさらに行わせる、請求項１４に記載の非一過性コンピュータ読み取り可能な媒体。
【請求項１６】
ソーシャルネットワーキングサービス支払方法であって、
前記ネットワークインターフェースを介して、支払および償還コードをユーザに通知することと、
前記償還コードに関して、前記ユーザに指示することと、
前記支払のための受領者オプションに関して、前記ユーザに指示することと、
前記ユーザによって選択される前記受領者オプションに従って、前記支払を預金することと
を含む、方法。
【請求項１７】
前記ユーザの支払経験を共有するように、前記ユーザに指示することをさらに含む、請求項１６に記載のソーシャルネットワーキングサービス支払方法。
【請求項１８】
ソーシャルネットワーキング装置であって、
支払および償還コードをユーザに通知するように構成されているネットワークインターフェースと、
非一過性コンピュータ読み取り可能な媒体上のエンコードされたユーザデータベースであって、前記データベースは、ユーザプロファイル記録を含み、前記ユーザプロファイル記録は、複数の金融口座に関連付けられるように構成されている、ユーザデータベースと、
前記ネットワークインターフェースに結合されているプロセッサであって、前記プロセッサは、前記償還コードに関して前記ユーザに指示することと、前記複数の金融口座からの前記支払のための受領者オプションに関して前記ユーザに指示することと、前記ユーザによって選択される前記受領者オプションに従って前記支払を預金することとを行うように構成されている、プロセッサと
を備えている、ソーシャルネットワーキング装置。
【請求項１９】
前記ユーザの支払経験を共有するように、前記ユーザに指示することをさらに含む、請求項１８に記載のソーシャルネットワーキング装置。
【請求項２０】
データおよび命令でエンコードされている非一過性コンピュータ読み取り可能な媒体であって、前記命令は、コンピュータによって実行されると、
償還コードに関して、ユーザに指示することと、
支払のための受領者オプションに関して、前記ユーザに指示することと、
前記ユーザによって選択される前記受領者オプションに従って、前記支払を預金することと
を前記コンピュータに行わせる、非一過性コンピュータ読み取り可能な媒体。
【請求項２１】
前記ユーザの支払経験を共有するように、前記ユーザに指示することを前記コンピュータにさらに行わせる、請求項２０に記載の非一過性コンピュータ読み取り可能な媒体。
【発明の詳細な説明】
【技術分野】
【０００１】
（関連出願）
本願は、米国特許出願第１３／６５１，１０４号（２０１２年１０月１２日出願）を基礎とする優先権を主張し、該出願の内容は、その全体が記述された場合と同様に、参照により本明細書に引用される。
【０００２】
（発明の分野）
本開示の側面は、概して、ソーシャルネットワークに関する。側面は、ソーシャルネットワークを通して、電子支払を促進するための装置、システム、方法、およびコンピュータ読み取り可能な記憶媒体を含む。
【背景技術】
【０００３】
ソーシャルネットワーキングサービスは、人々の間で、社会関係の構築を促進することに焦点を合わせたオンラインサービスである。本サービスは、個人が、例えば、興味、活動、背景、または日常生活のつながりを共有することを可能にする。ソーシャルネットワーキングサービスは、各ユーザの表現（多くの場合、「プロファイル」と称される）と、ソーシャルリンクとから成る。
【０００４】
ほとんどのソーシャルネットワーキングサービスは、ウェブベースであり、ユーザが、電子メールおよびインスタントメッセージ等のインターネットを経由して、相互作用するための手段を提供する。ソーシャルネットワーキングサイトは、ユーザが、それらの個々のネットワークの範囲内で、考え、活動、イベント、および興味を共有することを可能にする。
【０００５】
個人に加えて、ベンダーが、それらの商品およびサービスを販促するために、ソーシャルネットワーキングサービスをますます使用している。ベンダーは、ソーシャルネットワーク内で、消費者にそれらを「いいね」または「フレンド」申請してもらうことと交換に、無料サンプルまたは割引コードを提供し得る。  
【発明の概要】
【発明が解決しようとする課題】
【０００６】
実施形態は、ソーシャルネットワーキングサービスを介して、電子支払を可能にするシステム、デバイス、方法、およびコンピュータ読み取り可能な媒体を含む。実施形態は、ソーシャルネットワーキングサービスを介して、支払要求、支払、および支払の受領を可能にする。
【課題を解決するための手段】
【０００７】
本開示の１つの側面は、ソーシャルネットワークがまた、個人と他の事業体との間の金融取引を促進するために使用されることができることの実現化を含む。
【０００８】
本開示の別の側面では、ソーシャルネットワークは、ソーシャルネットワークを介して、支払をすること、支払を要求すること、または支払を受領することを含み得る、支払サービスを可能にする。次いで、ユーザは、ソーシャルネットワークに対する支払プロセスに関するフィードバックおよびコメントを掲載し得る。
【図面の簡単な説明】
【０００９】
【図１】図１は、ソーシャルネットワーキングサービスを介して、電子支払を可能にするように構成されるシステムの実施形態を例証する。
【図２】図２は、ソーシャルネットワーキングサービスを介して、電子支払を可能にするように構成される装置実施形態を描写する。
【図３Ａ】図３Ａ−Ｂは、ソーシャルネットワーキングサービスを介して、支払を可能にする方法実施形態のフローチャートである。
【図３Ｂ】図３Ａ−Ｂは、ソーシャルネットワーキングサービスを介して、支払を可能にする方法実施形態のフローチャートである。
【図４Ａ】図４Ａ−Ｂは、ソーシャルネットワーキングサービスを介して、支払を要求する方法実施形態のフローチャートである。
【図４Ｂ】図４Ａ−Ｂは、ソーシャルネットワーキングサービスを介して、支払を要求する方法実施形態のフローチャートである。
【図５Ａ】図５Ａ−Ｂは、ソーシャルネットワーキングサービスを介して、支払を受領する方法実施形態のフローチャートである。
【図５Ｂ】図５Ａ−Ｂは、ソーシャルネットワーキングサービスを介して、支払を受領する方法実施形態のフローチャートである。
【発明を実施するための形態】
【００１０】
図１は、本開示の実施形態に従って構築され、動作する、ソーシャルネットワーキングサービスを介して、支払を可能にするように構成されている、システム１０００の実施形態を例証する。システム１０００は、インターネット等のデータネットワーク１２００を介して、ソーシャルネットワーク支払サーバ２０００に接続する複数のコンピューティングデバイス１１００ａ−ｅを使用する消費者を含む。ソーシャルネットワーク支払サーバ２０００の詳細および例示的使用は、以下で議論される。
【００１１】
いくつかの実施形態では、消費者は、モバイルコンピューティングデバイス１１００ｄ−ｅを使用し、インターネットに接続することが可能であるワイヤレスデータネットワーク１３００を介して、ソーシャルネットワーク支払サーバ２０００に接続し得る。ワイヤレスデータネットワーク１３００は、携帯電話ネットワーク、ワイヤレスローカルエリアネットワーク（ＷＬＡＮまたは「ＷｉＦｉネットワーク」）、衛星データネットワーク等のワイヤレスデータプロバイダであり得ると理解されたい。モバイルコンピューティングデバイス１１００は、ソーシャルネットワーク支払サーバ２０００と通信することが可能である当技術分野で公知の携帯電話、タブレットコンピュータ、ラップトップコンピュータ、「ウルトラブック」、または他のポータブルコンピューティングデバイス等のモバイルデバイスを含む。
【００１２】
図１に示されるように、ソーシャルネットワーク支払サーバ２０００は、銀行間ネットワークを介して、支払プロセッサ１４００および発行者１５００ａ−ｎに接続され得る。ソーシャルネットワーク支払サーバ２０００は、ソーシャルネットワーキングサービスを電子的に実装する。
【００１３】
支払プロセッサ１４００は、電子的に支払を処理することが可能である支払ネットワークである。例示的支払プロセッサ１４００は、ＭａｓｔｅｒＣａｒｄ  Ｉｎｔｅｒｎａｔｉｏｎａｌ  Ｉｎｃｏｒｐｏｒａｔｅｄを含む。
【００１４】
発行者１５００ａ−ｎは、支払カードを発行する任意の銀行および他の事業体を含む。
【００１５】
銀行間ネットワーク１３００は、異なる金融機関を接続するコンピュータネットワークである。例えば、現金自動預入支払機（ＡＴＭ）コンソーシアムネットワークは、銀行間ネットワークである。
【００１６】
ここで、実施形態が、本開示の実施形態に従って構築され、動作する、図２の例示的ソーシャルネットワーク支払サーバ２０００のブロック図を参照して開示される。ソーシャルネットワーク支払サーバ２０００は、支払カードの残高をマージするように構成される。
【００１７】
ソーシャルネットワーク支払サーバ２０００は、マルチタスクオペレーティンングシステム（ＯＳ）を実行し、少なくとも１つのプロセッサまたは中央処理装置（ＣＰＵ）２１００と、非一過性コンピュータ読み取り可能な記憶媒体２２００と、ネットワークインターフェース２３００とを含み得る。
【００１８】
プロセッサ２１００は、当技術分野で公知の任意の中央処理装置、マイクロプロセッサ、マイクロ−コントローラ、計算デバイス、または回路であり得る。
【００１９】
図２に示されるように、プロセッサ２１００は、ソーシャルネットワーク２１１０と、ウェブサーバ２１４０と、データプロセッサ２１３０とから機能的に成る。
【００２０】
ソーシャルネットワーク２１１０はさらに、ユーザ認証機２１１２と、購入支払エンジン２１１４と、通知マネージャ２１１６と、フレンドトラッカ２１１８とを備え得る。ユーザ認証機２１１２は、ユーザが、ソーシャルネットワーク支払サーバ２０００に対して、その身元を証明することを可能にするインターフェースである。購入支払エンジン２１１４は、当技術分野で公知の支払カード、当座預金口座、電子ウォレット、または他の金融口座に対する支払および購入取引を行う。支払カードは、デビット、クレジット、およびチャージカードを含む。通知マネージャ２１１６は、ソーシャルネットワーク２１１０が、ユーザと通信することを可能にする。フレンドトラッカ２１１８は、ソーシャルネットワーク２１１０が、ソーシャルネットワーク内のユーザを関連付けることを可能にする。これらの構造は、ハードウェア、ファームウェア、または記憶媒体２２００等のコンピュータ読み取り可能な媒体上でエンコードされるソフトウェア命令およびデータとして、実装され得る。さらに、これらのコンポーネントの詳細が、以下で方法実施形態とのそれらの関連性とともに説明される。
【００２１】
データプロセッサ２１３０が、記憶媒体２２００およびネットワークインターフェース２３００とインターフェースをとる。データプロセッサ２１３０は、プロセッサ２１００が、これらのコンポーネント上のデータを特定することと、これらからデータを読み取ることと、これらにデータを書き込むこととを可能にする。
【００２２】
ウェブサーバ２１４０は、ネットワークインターフェース２３００を介して、インターネット１２００を横断し、ウェブページまたは他のコンテンツを送達するように構成される任意のコンピューティングデバイスである。ユーザデバイス１１００は、ワールドワイドウェブプロトコルおよびウェブ−サーバ２１４０を介して、ソーシャルネットワーク２１１０と通信し得る。
【００２３】
ネットワークインターフェース２３００は、コンピュータネットワークを横断して、データをインターフェース、通信、または転送するために、当技術分野で公知である任意のデータポートであり得、そのようなネットワークの実施例として、伝送制御プロトコル／インターネットプロトコル（ＴＣＰ／ＩＰ）、イーサネット（登録商標）、光ファイバ分散データインターフェース（ＦＤＤＩ）、トークンバス、またはトークンリングネットワークが挙げられる。ネットワークインターフェース２３００は、ソーシャルネットワーク支払サーバ２０００が、インターネット１２００、モバイル支払デバイス１１００ｄ−ｅを使用する消費者である消費者１１００、銀行間ネットワーク１３００、支払プロセッサ１４００、および発行者１５００ａ−ｎと通信することを可能にする。
【００２４】
コンピュータ読み取り可能な記憶媒体２２００は、磁気ディスクドライブ、フロッピディスクドライブ、光ドライブ、コンパクト−ディスクリードオンリーメモリ（ＣＤ−ＲＯＭ）ドライブ、デジタル多用途ディスク（ＤＶＤ）ドライブ、高鮮明度デジタル多用途ディスク（ＨＤ−ＤＶＤ）ドライブ、ブルーレイディスクドライブ、光磁気ドライブ、光ドライブ、フラッシュメモリ、メモリスティック、トランジスタベースのメモリ、磁気テープ、またはデータを記憶かつ読み出すために、当技術分野で公知である他のコンピュータ読み取り可能なメモリデバイス等の従来のリード／ライトメモリであり得る。重要なこととして、コンピュータ読み取り可能な記憶媒体２２００は、プロセッサ２１００から遠隔に位置し、ローカルエリアネットワーク（ＬＡＮ）、ワイドエリアネットワーク（ＷＡＮ）、またはインターネット１２００等のネットワークを介して、プロセッサ２１００と接続し得る。
【００２５】
加えて、図２に示されるように、記憶媒体２２００はまた、ユーザデータベース２２１０を含み得る。ユーザデータベース２２１０は、ユーザを支払カードおよび他の金融サービス口座に関連付ける情報を記憶するように構成される。ユーザは、個人、企業、慈善事業体、または他の事業体であり得る。個々のユーザアカウントに関して、ユーザは、１つ以上の支払カードに関連付けられ得る。
【００２６】
以下に説明されるように、これらの構造の機能は、図３−５のフローチャートに関して最も理解され得る。
【００２７】
ここで、本開示の方法またはプロセス実施形態である、図３−５に注意を向ける。そのような方法実施形態に関する命令が、それらのそれぞれのコンピュータ読み取り可能なメモリ上に記憶され、かつそれらのそれぞれのプロセッサによって実行され得ることは、当業者によって理解される。さらに、ユーザが、無数のコンピューティングデバイスを介して、ソーシャルネットワーク支払サーバと接続し得ることを理解されたい。例えば、コンピューティングデバイスは、タブレットコンピュータ、携帯電話等のモバイルデバイス、またはデスクトップコンピュータ等の固定式デバイスであり得る。
【００２８】
さらに、本開示の実施形態は、（任意の該当する金融規制制限および要件の対象である）クレジット、デビット、チャージ、プリペイドカード、当座預金口座、普通預金口座、取引口座、および電子ウォレットを含む、様々な金融サービス口座に適用され得ることを理解されたい。電子ウォレットは、１つの中心的場所で、ユーザが、ログイン、パスワード、発送先、および支払カード詳細等のそのオンラインショッピング情報を記憶かつ制御することができるプログラムまたはサービスである。
【００２９】
図３Ａ−Ｂは、本開示の実施形態に従って構築され、動作する、ソーシャルネットワーク支払サーバ２０００を介して、支払を可能にする方法３０００のフローチャートである。
【００３０】
ブロック３０１０において、ユーザ認証機２１１２が、ユーザデータベース２２１０内に記憶されるデータに対してユーザを認証するために、ユーザ１１００から情報を受信する。実施形態は、パスワード、カードキー、光学式認識、指紋識別、顔認識を含むが、それらに限定されない、当技術分野で公知の任意の方法を使用してユーザを認証し得る。
【００３１】
ソーシャルネットワーク２１１０が、ブロック３０２０において、「支払いを行う」命令を受信すると、フレンドトラッカ２１１８は、ブロック３０３０において、支払を受領するフレンド（「受取人」）を選択するように、ユーザに指示する。フレンドトラッカ２１１８は、ユーザ１１００が、ブロック３０２０において、１１００ａからユーザデータベース２２１０内のユーザ他のユーザへのリンクに基づいて、受取人として、仲間またはフレンドを選択することを可能にする。
【００３２】
ユーザは、ブロック３０４０において、購入支払エンジン２１１４による支払のための資金源を指定するように指示される。
【００３３】
支払は、支払カード、電子ウォレット、および銀行口座を含むが、それらに限定されない、様々に異なる電子支払方法で行われ得る。各異なる方法は、それに関連付けられる異なる種類のデータを有し、このデータは、ユーザデータベース２２１０内に記憶されている。支払カードは、主口座番号（ＰＡＮ）等の一意の識別子を含む。銀行口座は、当座預金および普通預金口座を含む。上記で説明されるように、電子ウォレットは、ユーザが、ユーザのオンラインショッピング情報を記憶かつ制御することができるプログラムまたはサービスである。銀行口座は、ルーティングトランジットナンバー（ＲＴＮ）および口座番号を含むであろう。米国では、ルーティングトランジットナンバーは、口座への請求書の仕分けバンドリングおよび発送を容易にするために使用される、金融機関を識別する９桁の銀行コードである。ヨーロッパ等の米国以外では、国際銀行口座番号（ＩＢＡＮ）が、使用され得る。
【００３４】
資金源の選択の一部として、資金源は、ユーザデータベース２２１０において記憶されている情報から選択され得、および／またはユーザは、その情報に関して、指示され得る。
【００３５】
決定ブロック３０５０において、ソーシャルネットワーク２１１０は、支払取引が国際支払取引であるかどうかを決定する。一実施形態では、国際支払取引決定は、受取人の居住国をユーザの居住国と比較することによって行われ得る。別の実施形態では、ユーザは、情報に関して、指示され得る。
【００３６】
支払が国際取引でない場合、フローは、ブロック３０８０において継続する。そうでなければ、ユーザは、ブロック３０６０において、国際通貨に関して指示され得る。
【００３７】
いくつかの実施形態では、購入支払エンジン２１１４は、受取人の居住国によって、国際取引に関する通貨を決定する。一実施形態では、購入支払エンジン２１１４は、換算率を調べることができ、ユーザにこれを提示する。加えて、ブロック３０７０において、ユーザは、どのように通貨手数料が支払われることを望むかに関して、指示される。概して、両替手数料が、送金者によって支払われ得るか、または受取人に送金される額から控除され得る。
【００３８】
ブロック３０８０において、ユーザは、支払われる額に関して指示される。
【００３９】
決定ブロック３０９０において、ソーシャルネットワーク２１１０は、ユーザに支払取引の概要を提示し、ユーザに支払の確認を求める。ユーザが、支払取引を拒否する場合、取引がキャンセルされ、プロセス３０００は、ブロック３１４０において継続する。
【００４０】
ユーザが取引を確認する場合、購入支払エンジン２１１４は、ブロック３１００において、支払取引を行い、任意の取引料金を引いた支払われるべき額によって、受取人の口座に入金するための準備をする。
【００４１】
ユーザは、ブロック３１１０において、予定される支払に関して受取人に知らせるための通知方法を選択するように指示される。受取人は、ブロック３１２０において、通知マネージャ２１１６によって、未払いの支払について通知され、支払を償還する償還コードが提示される。償還コードは、購入支払エンジン２１１４によって、生成され得る。一実施形態では、償還コードは、取引に関連する一意のコードである。
【００４２】
ユーザ１１００は、ブロック３１３０において、支払が受取人によって償還されると、通知される。通知は、ソーシャルネットワーク、電子メールメッセージ、ショートメッセージサービス（ＳＭＳ）メッセージ、テキストメッセージ、自動電話通話、または当技術分野で公知の任意の他の電子通信を介して、発生し得る。
【００４３】
ブロック３１４０において、ユーザ１１００は、その支払経験をソーシャルネットワーク２１１０と共有することを求められる。受取人がその経験を共有することに同意する場合、決定ブロック３１５０で決定されると、その経験は、ブロック３１６０において共有される。そうでなければ、その情報は、ブロック３１７０において共有されず、プロセス３０００は、終了する。
【００４４】
図４Ａ−Ｂは、本開示の実施形態に従って構築され、動作する、ソーシャルネットワーキングサービスを介して支払を要求する方法４０００のフローチャートである。そのような実施形態では、ユーザは、フレンドまたはフレンドのグループがユーザに支払を行うことを要求する。この方法４０００は、具体的なソーシャルイベント、慈善事業、活動等のために、フレンドのグループから、資金を集めるために使用され得る。
【００４５】
ブロック４０１０において、ユーザ認証機２１１２が、ユーザデータベース２２１０内に記憶されるデータに対して、ユーザを認証するためにユーザ１１００から情報を受信する。上記に言及されるように、ユーザ認証機２１１２実施形態は、パスワード、カードキー、光学式認識、指紋識別、および顔認識を含むが、それらに限定されない、当技術分野で公知の任意の方法を使用して、ユーザを認証し得る。
【００４６】
ソーシャルネットワーク２１１０が、ブロック４０２０において、「要求支払」命令を受領すると、フレンドトラッカ２１１８は、ブロック４０３０において、支払を行うであろうフレンド（「支払人」）またはフレンドのグループを指定するように、ユーザに指示する。フレンドトラッカ２１１８は、ユーザ１１００が、ユーザ１１００ａからユーザデータベース２２１０内の他のユーザへのリンクに基づいて、受取人として、仲間またはフレンドを選択することを可能にする。
【００４７】
ユーザは、ブロック４０４０において、支払に関する額および通貨を指定するように指示される。いくつかの実施形態では、額および通貨は、グループが集めようとしている「標的」額であり得る。
【００４８】
ソーシャルネットワーク２１１０は、ブロック４０６０において、支払取引または複数の取引（複数の支払人が寄付しているとき）を追跡する。支払が完了し、資金に関する標的目標が達成された場合、またはそれを上回られた場合、通知マネージャ２１１６が、ブロック４０７０において、支払人が支払を行ったことを報告するためにユーザに通知を送信する。その通知は、ユーザによって事前に定められた方法を介して発生し得る。いくつかの事例では、通知は、ソーシャルネットワーク、電子メールメッセージ、ショートメッセージサービス（ＳＭＳ）メッセージ、テキストメッセージ、自動電話通話、または当技術分野で公知の他の電子通信を介して、発生する。
【００４９】
ブロック４０８０において、ユーザ１１００は、その支払経験をソーシャルネットワーク２１１０と共有することを求められる。受取人がその経験を共有することに同意する場合、決定ブロック４０９０において決定されると、その経験は、ブロック４１００において、共有される。そうでなければ、その情報は、ブロック４１１０において、共有されず、プロセス４０００は、終了する。
【００５０】
図５Ａ−Ｂは、本開示実施形態に従って構築され、動作する、ソーシャルネットワーキングサービスを介して、支払を受領する方法実施形態５０００のフローチャートである。受領される支払は、支払方法３０００から生じ得ることが、当業者によって理解される。
【００５１】
ブロック５０１０において、ユーザ認証機２１１２が、ユーザデータベース２２１０内に記憶されるデータに対して、ユーザを認証するためにユーザ１１００から情報を受信する。上記に概説されるプロセスと同様に、ユーザ認証機２１１２は、パスワード、カードキー、光学式認識、指紋識別、および顔認識を含むが、それらに限定されない、当技術分野で公知の任意の方法を使用して、ユーザを認証し得る。
【００５２】
通知マネージャ２１１６が、ブロック５０２０において、支払に関する償還コードとともに、受領された支払をユーザに知らせる。
【００５３】
ユーザが、支払受領を承認する場合、決定ブロック５０３０において決定されると、プロセスフローは、ブロック５０４０において継続する。支払が承認されない場合、プロセスは、ブロック５０９０において継続する。
【００５４】
決定ブロック５０４０において、ソーシャルネットワーク２１１０は、ユーザが支払プロセスに関して初めてのユーザかどうかを決定する。そうでない場合、プロセスフローは、ブロック５０６０において継続する。ユーザが、初めてのユーザである場合、ブロック５０５０において、支払サービスに関して登録される。支払登録は、ユーザが、支払カードに対するクレジットまたは他の金融口座等の支払を受領する適切な口座を登録することを含み得る。
【００５５】
ブロック５０６０において、ソーシャルネットワーク２１１０は、ブロック５０２０からの通知に見られるような提供された償還コードに関してユーザに指示する。いくつかの実施形態は、償還コードが不正確に入力された場合、複数回ユーザに指示するであろうことを留意されたい。これらの実施形態はまた、コードが既定の回数よりも不正確に入力された場合、償還コードを無効にし得る。例えば、ユーザは、３回コードを入力し得、３回全ての試みが失敗する場合、償還コードは、無効にされる。償還コードが、不正確である場合、フローは、ブロック５０９０において継続する。償還コードが正しい場合、ユーザは、ブロック５０８０において、資金を受領する方法および資金が預金される方法のオプションに関して、指示される。プロセスフローは、ブロック５１１０において継続する。
【００５６】
ブロック５０９０において、ユーザは、（決定ブロック５０３０から）資金の受領を否認しているか、または償還コードが（決定ブロック５０７０から）不正確であるかのいずれかである。この時、支払が拒否され、その支払は、寄付者／支払人に返金される。寄付者は、ブロック５１００において、支払拒否を通知される。いくつかの実施形態では、新しい償還コードが、自動的に再発行され受取人に送信される。
【００５７】
ブロック５１１０において、ユーザ１１００は、その支払経験をソーシャルネットワーク２１１０と共有することを求められる。受取人が、経験を共有することに同意する場合、決定ブロック５１２０において決定されると、その経験は、ブロック５１３０において共有される。そうでなければ、その情報が、ブロック５１４０において、共有されず、プロセス５０００は、終了する。
【００５８】
本実施形態の前述の説明は、当業者の誰もが、本開示を実践することを可能にするために提供される。これらの実施形態に対する種々の修正は、当業者にとって、容易に明白であり、本明細書に定義される一般的な原理は、発明の才能を使用せずに、他の実施形態に適用され得る。したがって、本開示は、本明細書に示される実施形態に限定されず、本明細書に開示される原理および新規特徴と一致する最大広範囲と見なされることが意図される。
【図１】
2015532492.tif 000003
【図２】
2015532492.tif 000004
【図３Ａ】
2015532492.tif 000005
【図３Ｂ】
2015532492.tif 000006
【図４Ａ】
2015532492.tif 000007
【図４Ｂ】
2015532492.tif 000008
【図５Ａ】
2015532492.tif 000009
【図５Ｂ】
2015532492.tif 000010
【国際調査報告】
2015532492.tif 000011